(57)【特許請求の範囲】
【請求項１】
カメラの市場に合わせ設定される情報データを記憶する第1のデータ領域及びカメラ製造工程で設定される補正パラメータを記憶する第2のデータ領域とを有した不揮発性メモリと、
前記不揮発性メモリに対して直接接続された通信ラインを用いて通信をする接触式通信手段と、
前記不揮発性メモリに対して電磁波を用いて通信をする非接触式通信手段と、
を有し、
前記第1のデータ領域は、前記接触式通信手段及び非接触通信手段の双方からデータ読み出しアクセスとデータ変更アクセスが許可され、
前記第２のデータ領域は、前記接触式通信手段からのデータ読み出しアクセスとデータ変更アクセスが許可されることを特徴とするカメラシステム。
【請求項２】
前記不揮発性メモリの第１のデータ領域には、データの信頼性を検査するための情報が記憶されていることを特徴とする請求項１記載のカメラシステム。
【請求項３】
前記不揮発性メモリには、前記第１のデータ領域と第２のデータ領域の境界を示すアドレス情報を記憶することを特徴とする請求項１記載のカメラシステム。
【請求項４】
前記非接触式通信手段からアクセスされたときは、前記不揮発性メモリの第１のデータ領域と第２のデータ領域の境界を示すアドレス情報に基づき、データ変更アクセスを制限する通信禁止手段を具備したことを特徴とする請求項１記載のカメラシステム。
【請求項５】
前記非接触式通信手段は、通信動作に必要な電力を電磁波から得ることを特徴とする請求項１記載のカメラシステム。
【発明の詳細な説明】
【０００１】
【発明の属する技術分野】
本発明は、被写体像を撮影記録する際の各種機能や操作を電気的に駆動制御する各種カメラにおいて、前記カメラの機能や操作を電気的に駆動制御する各種データを書込記録されている不揮発性メモリのデータ書込及び読み出しを接触式及び非接触式の通信方式で行うことを可能とするカメラシステムに関する。
【０００２】
【従来の技術】
各種電子機器において、その機器の動作や操作機能をマイクロコンピュータを用いて電気的に駆動制御されるようになっている。このマイクロコンピュータを用いて駆動制御させるためには、不揮発性メモリに駆動制御させる各種情報データを記憶させ、その情報データを基に機器の動作と操作機能の駆動制御が行われている。
【０００３】
例えば、銀塩撮影カメラにおいて、被写体距離や被写体輝度を測定する測定器と、この測定器で測定した距離値と輝度値とを基に、撮影光学レンズ系の合焦位置、絞り開口、及びシャッタ速度等を演算し、この演算された値を用いて電気的駆動制御器を用いて光学レンズの合焦設定、絞り開口設定及びシャッタ速度設定等を行うと共に、銀塩フィルムの撮影済駒の巻き取りや撮影終了時の巻き戻し等も前記電気的駆動制御により行われ、撮影者は、銀塩フィルムをカメラに装填することと、被写体をファインダで確認して、レリーズボタンを操作するのみで銀塩撮影が可能なカメラが主流となっている。
【０００４】
これらカメラの各種電気駆動制御のための演算や駆動制御のデータ（以下、操作駆動制御データという）は、不揮発性メモリに記憶されており、この記憶されているデータをマイクロコンピュータで読み出し、カメラの各種操作部の操作制御が行われている。
【０００５】
この不揮発性メモリには、ＥＥＰＲＯＭが用いられており、カメラの操作駆動制御データ以外に、例えば、距離測定や輝度測定のバラツキを補正する制御パラメータも記憶されており、さらに、カメラの販売地域に応じてカメラ仕様を変更する為のデータも記憶されている。
【０００６】
この不揮発性メモリに書込記憶する前述の各種操作駆動制御データや制御パラメータ及び仕様に関するデータ（以下、単にデータという）は、一般には、カメラの組立製造工程において、書込記憶させているが、前記カメラの販売地域に応じたカメラ仕様の変更は、カメラ完成後に変更書き換えられて市場に供されている。
【０００７】
【発明が解決しようとする課題】
従来のカメラは、各種カメラ操作を駆動制御するデータが不揮発性メモリに記憶されており、この記憶されているデータをマイクロコンピュータで読み出し、前記カメラの各種操作部の駆動制御を行っている。前記不揮発性メモリに記憶される前記データは、カメラの組立製造工程で書込記憶されているが、カメラの完成後に前記データの検査や書換を行う場合には、銀塩フィルム感度検出用のＤＸ端子やストロボ発光制御通信端子にデータ検査または書換用の外部コンピュータ機器を接続して、カメラに内蔵したマイクロコンピュータを介して行っている。
【０００８】
このＤＸ端子やストロボ通信端子を用いて前記データの検査や書換を行う際には、特殊なコンタクトピンやこのコンタクトピンをカメラ本体に固定するための冶具等が必要であり、また、前記ＤＸ端子やストロボ通信端子が使用できない場合には、カメラ本体の外装を取り外して、カメラ内部のマイクロコンピュータが搭載された回路基板に設けられた端子を用いて外部コンピュータ機器を接続する必要がある。このため、データの検査や書換作業が繁雑となり、また、前記コンタクトピン取付冶具をカメラ本体に取り付けたり、あるいは、カメラの外装を取り外したりする際に、カメラボディを傷付けてしまうこともある。
【０００９】
このように従来のカメラは、カメラ内部の不揮発性メモリに収納記憶されている各種データを検査や書換える際の作業が繁雑で、かつ、カメラボディを傷付ける課題があった。
【００１０】
本発明は、カメラ本体に非接触で、カメラの撮影操作を制御する各種データを記憶した不揮発性メモリのデータ内容を検査及び書換が可能なカメラシステムを提供することを目的とする。
【００１１】
【課題を解決するための手段】
本発明の一態様によるカメラシステムは、カメラの市場に合わせ設定される情報データを記憶する第1のデータ領域及びカメラ製造工程で設定される補正パラメータを記憶する第2のデータ領域を有した不揮発性メモリと、前記不揮発性メモリに対して直接接続された通信ラインを用いて通信をする接触式通信手段と、前記不揮発性メモリに対して電磁波を用いて通信をする非接触式通信手段と、を有し、前記第1のデータ領域は、前記接触式通信手段及び非接触通信手段の双方からデータ読み出しアクセスとデータ変更アクセスが許可され、前記第２のデータ領域は、前記接触式通信手段からのデータ読み出しアクセスとデータ変更アクセスが許可されることを特徴とする。
【００１２】
本発明のカメラシステムの不揮発性メモリの第１のデータ領域には、データの信頼性を検査するための情報が記憶されていることを特徴とする。
【００１３】
さらに、本発明のカメラシステムの不揮発性メモリには、前記第１のデータ領域と第２のデータ領域の境界を示すアドレス情報を記憶することを特徴とする。
【００１４】
また、本発明のカメラシステムの前記非接触式通信手段からアクセスされたときは、前記不揮発性メモリの第１のデータ領域と第２のデータ領域の境界を示すアドレス情報に基づき、データ変更アクセスを制限する通信禁止手段を具備したことを特徴とする。
【００１５】
さらにまた、本発明のカメラシステムの前記非接触式通信手段は、通信動作に必要な電力を電磁波から得ることを特徴とする。
【００１７】
本発明により、カメラの組立製造時は、接触式通信手段を用いて各種制御データの書込が可能で、カメラ完成後の各種情報データの検査又は変更書換を行う際には、非接触式通信手段を用いてデータの検査又は変更書換が可能となる。
また、各種制御データが書込記憶されている不揮発性メモリのデータ記憶領域を制御データ内容に応じて領域区分することで、変更書換時のデータ破壊を防止可能とした。
【００１８】
【発明の実施の形態】
以下、図面を参照して本発明の実施の形態について詳細に説明する。図１は本発明に係るカメラシステムの一実施形態の全体構成を示すブロック図で、図２は本発明のカメラシステムに用いる不揮発性メモリのマップを説明する説明図で、図３は本発明に係るカメラシステムの全体動作を説明するフローチャートで、図４は本発明に係るカメラシステムのマイクロコンピュータの動作を説明するフローチャートで、図５は本発明に係るカメラシステムのテスト動作を説明するフローチャートで、図６は本発明に係るカメラシステムの他の実施形態の全体構成を示すブロック図で、図７は本発明に係るカメラシステムの変形例の構成を示すブロック図である。
【００１９】
近年、非接触でセキュリティ管理、商品管理、生産管理、及び自動改札等の交通管理等のシステムが開発実用化されている。この非接触の管理システムは、付帯物に電磁波による発信機能を有したデータキャリアを付加し、そのデータキャリアから送信された信号を受信するコントローラを有し、双方向に情報交換を行い、かつ、情報の読込及び書込も可能なシステムである。
【００２０】
本発明は、前記非接触による情報の読込及び書込を行うためのＲＦＩＤ（Radio Frequency Identification)用ＬＳＩ素子を用いて、カメラに内蔵されている不揮発性メモリに記憶される各種制御データも書込及び書換可能である点に着目してなされたものである。
【００２１】
図１を用いて本発明に係るカメラシステムの全体構成を説明する。
図中の符号１１は、銀塩撮影カメラの全体システム構成を示しており、撮影レンズ１２を介して入射された被写体像は、絞り１３とシャッタ１４を介して、銀塩フィルム１５に結像されるようになっている。前記撮影レンズ１２を介して入射された被写体像は、図示していない被写体像反射機能や分割機能により、反射及び分光される。前記撮影レンズ１２には、焦点調節機構１６が設けられ、前記分割機能で、例えば、２像分割されて、その２像間の位相差を基に撮影レンズ１２を光軸上に摺動移動させて、被写体像の結像焦合調節がなされる。前記絞り１３は、絞り制御機構１７により、撮影レンズ１２を透過した被写体像の光量を制御する。前記シャッタ１４は、シャッタ制御機構１８により、所定のシャッタスピードで開閉して被写体像を銀塩フィルム１５に露光させる。前記銀塩フィルム１５は、フィルム給送機構１９により、カメラシステム１１に銀塩フィルムカートリッジを装填した際に、所定の撮影駒位置に給送され、撮影した際に１駒分巻き上げたり、あるいは撮影終了時に巻き戻される。前記銀塩フィルム１５の被写体像露光後の１駒巻き上げ時には、情報記録回路２０からの撮影日付情報、タイトル情報、及び撮影情報などが供給されて、銀塩フィルム１５に記録される。
【００２２】
前記焦点調節機構１６、絞り制御機構１７、シャッタ制御機構１８、フィルム給送機構１９、及び情報記録回路２０は、マイクロコンピュータ（以下、マイコンという）２６に接続されており、このマイコン２６の制御信号の基で駆動制御される。このマイコン２６には、測距回路２１、測光回路２２、表示回路２３，操作スイッチ２４、及び時計回路２５が接続されている。
【００２３】
前記測距回路２１は、撮影レンズ１２から入射された被写体像を２分割して、その位相差から被写体までの距離を測定し、その測定された距離値から前記マイコン２６により演算処理されて合焦位置情報を求め前記焦点調節機構１６を駆動制御する。なお、焦点調節機構１６には、前記撮影レンズ１２の現在位置を検出するセンサが設けられており、このセンサで検出した撮影レンズ１２の現在位置情報と前記マイコンで演算した合焦位置情報とにより、撮影レンズ１２を合焦位置に摺動移動させる。
【００２４】
前記測光回路２２は、前記被写体像から被写体輝度値を測定する。この測光回路２２で測定された被写体輝度値と図示していない銀塩フィルムの感度データ読み取り手段で読み取ったフィルム感度値とからマイコン２６で、絞り１３の絞り開口値とシャッタ１４のシャッタスピード値を演算し、その演算された絞り値とシャッタスピード値を基に前記絞り制御機構１７とシャッタ制御機構１８を駆動制御する。
【００２５】
前記表示回路２３は、マイコン２６からの制御信号の基でカメラの動作及び操作状態を図示していないカメラ本体に設けられている表示部に表示するための表示信号生成回路である。
【００２６】
前記操作スイッチ２４は、前記測距回路２１及び測光回路２２を駆動させて測距・測光の駆動指示を与える第１のレリーズスイッチ、焦点調節機構１６及びシャッタ制御機構１８を駆動制御して被写体像を露光させる第２のレリーズスイッチ、図示していないストロボ発光オン／オフスイッチ、及びカメラ全体を駆動する駆動電力をオン／オフする電源スイッチ等の各種スイッチである。
【００２７】
前記時計回路２５は、前記情報記録回路２０から銀塩フィルム１５に書き込む日付情報を生成する。
【００２８】
前記マイコン２６及び各種回路は、電池２７から電源回路２８を介して、駆動電力が供給されている。前記電源回路２８は、ＤＣ／ＤＣコンバータやレギュレータ等から構成されて、電池２７から供給された電流電圧の安定化や各回路への分配を行っている。
【００２９】
さらに、前記マイコン２６には、ＥＥＰＲＯＭを用いた不揮発性メモリ２９が通信ライン３０を介して接続されている。また、前記マイコン２６は、通信インターフェイス回路３１と通信ライン接続手段３２及び通信ケーブル４２を介してコンピュータ機器を用いた外部制御装置４１に接続されている。
【００３０】
前記不揮発性メモリ２９の詳細は後述するが、言語モード、カメラ動作モード、日付初期値、チェックコード、ＡＦパラメータ、ＡＥパラメータ、シャッタパラメータ、及び電源パラメータ等の各種情報データが記憶されるメモリである。
【００３１】
前記通信インターフェイス回路３１は、マイコン２６を外部制御装置４１と情報データ通信を行う際のインターフェイスである。前記通信ライン接続手段３２は、前記各種回路機能２０〜２３、２５、２８、３１、マイコン２６，及び不揮発性メモリ２９等が搭載された回路基板に設けられた接続用端子である。この接続端子に代えて、図示していない銀塩フィルム１５のカートリッジに記載されているフィルム感度情報を読み取るＤＸ端子を用いることもある。
【００３２】
前記外部制御装置４１は、通信ケーブル４２、通信ライン接続手段３２、通信インターフェイス回路３１及び前記マイコン２６を介して不揮発性メモリ２９にアクセスして、各種情報データの書込及び書換等を行う。なお、この外部制御装置４１を通信ケーブル４２、通信ライン接続手段３２、通信インターフェイス回路３１及びマイコン２６を介して不揮発性メモリ２９にアクセスすることを接触式通信という。
【００３３】
前記不揮発性メモリ２９には、データキャリアの一種であるＲＦＩＤの技術を用いた非接触式通信ユニット３３も接続されている。この非接触式通信ユニット３３は、通信コイル３４、整流回路３５、レギュレータ３６、復調回路３７、変調回路３８，制御回路３９及び通信禁止回路４０から構成されている。
【００３４】
通信コイル３４は、後述する非接触式通信コントローラ４３との間で無線周波数帯の電波を送受信する。整流回路３５は、前記通信コイル３４で受信した非接触式通信コントローラ４３からの電波電力を整流して、非接触式通信ユニット３３の駆動電力を作り出すものである。レギュレータ３６は、整流回路３５からの整流出力の安定化を図るものである。復調回路３７は、前記通信コイル３４で受信した情報データ通信電波に含まれる情報データを復調して、制御回路３９に供給するものである。前記情報データには、不揮発性メモリ２９のアドレス、ライト又はリードのコマンド情報等が含まれている。変調回路３８は制御回路３９から供給された情報データに基づいて搬送波変調して前記通信コイル３４から非接触式通信コントローラ４３へ送信するものである。制御回路３９は、不揮発性メモリ２９に対して情報データの書込及び読込制御を行うものである。通信禁止回路４０は、前記マイコン２６からの制御の基で、非接触式通信ユニット３３による不揮発性メモリ２９への情報データの書込及び読込の禁止制御を行うものである。
【００３５】
前記外部制御装置４１は、非接触式通信コントローラ４３が接続可能となっており、この非接触通信コントローラ４３は、通信インターフェイス回路４４と、復調回路４５と及び変調回路４６で構成され、この復調回路４５と変調回路４６とは通信アンテナ４７が接続されている。この非接触式通信コントローラ４３は、前記外部制御装置４１の制御指令の基で、前記非接触式通信ユニット３３を介して、前記不揮発性メモリ２９の情報データとアクセスするものである。この非接触式通信コントローラ４３の通信インターフェイス回路４４は、外部制御装置４１と復調回路４５と変調回路４６の情報データ通信のインターフェイスで、復調回路４５は、前記非接触式通信ユニット３３から送信された情報データ通信電波を復調し、変調回路４６は、外部制御装置４１からの情報データを搬送波変調して、前記非接触通信ユニット３３へと発信するものである。
【００３６】
前述したように、カメラシステムを制御する各種情報データを書込記憶されている不揮発性メモリ２９は、非接触式通信ユニット３３と非接触式通信コントローラ４３とを介して外部制御装置４１とアクセスする非接触通信方式と、通信ライン３０、マイコン２６及び通信インターフェイス回路３１を介して外部制御装置４１とアクセスする接触通信方式とを有する。この２つの通信方法で同時に前記不揮発性メモリ２９にアクセスさせると情報データに混乱が生じ不都合が生じなる為に、前記マイコン２６で通信禁止回路４０を駆動制御して、非接触式通信ユニット３３の動作を停止させたり、動作させたりしている。
【００３７】
この通信禁止回路４０は、マイコン２６が動作中は常に非接触式通信ユニット３３を非動作状態となるように制御される。従って、マイコン２６が動作中に非接触通信方式による不揮発性メモリ２９に対するアクセスは出来ない。ただし、マイコン２６による駆動制御で通信禁止回路４０を非動作状態とすると、マイコン２６の動作中であっても非接触通信方式によるアクセスは可能である。また、外部制御装置４１がカメラシステム１１と通信ケーブル４２で接続された際に、外部制御装置４１からマイコン２６に対して通信禁止回路４０を非動作状態とする指令を供給することも可能である。
【００３８】
次に、前記不揮発性メモリ２９に書込記憶される情報データの内容とその情報データの記憶エリアについて、図２のメモリマップを用いて説明する。
前記不揮発性メモリ２９は、ＥＥＰＲＯＭが用いられており、第１の情報データ記憶エリア（以下、第１エリアという）５１と第２の情報データ記憶エリア（以下、第２エリアという）５２とに大きく２つの記憶エリアに分割されている。第１エリア５１は、非接触通信方式でアクセスが可能なエリアで、第２エリア５２は非接触通信方式によるアクセスはできないように制限されたエリアである。つまり、第１エリア５１は、非接触通信方式と接触通信方式のいずれでもアクセス可能で、第２エリア５２は、接触通信方式のみアクセス可能で、非接触通信方式ではアクセスできない。
【００３９】
この第１エリア５１と第２エリア５２の境界（図中※１）を示すアドレスがＢＡＮＫアドレスである。このＢＡＮＫアドレスは、第１エリア５１の所定の位置、例えば、先頭アドレスφ０（図中※０）に記憶される。
【００４０】
この第１エリア５１に書込記憶される情報データは、前記ＢＡＮＫアドレス以外に、例えば、言語モード、カメラ動作モード、日付け初期値、及びチェックコード等の書換可能な情報データが記憶されている。言語モードとは、銀塩フィルム１５にタイトル情報を記録する際に、いかなる言語で記録すべきかを示めす情報で、カメラが販売される国別に設定できることが望ましい。カメラ動作モードは、カメラが動作開始した時に最初に設定されるカメラの動作モードである。日付け初期値は、カメラの駆動用電池を交換した際に、時計回路２５がリセットされて日付情報が失なわれ、電池交換した際にユーザが最初から日付情報を設定することは煩雑であるため、現在の日時に近い値を時計回路２５をリセットした時に設定するようにしたものである。チェックコードは、非接触通信方式で情報データの書き換えた際に、その書換情報データの信頼性を判定するために使用される。
【００４１】
前記第２エリア５２に書込記憶される情報データは、例えば、ＡＦパラメータ、ＡＥパラメータ、シャッターパラメータ及び電源パラメータ等の書換不可能な情報データが記憶されている。ＡＦパラメータは、測距回路２１を用いて被写体距離を測定する際に、被写体像を２像分離し、その２像間の位相差を検出するラインセンサの感度バラツキがあると正確に被写体距離を検出出来ない。そこで感度バラツキを補正するための補正値である。ＡＥパラメータは、測光回路２２を用いて被写体輝度を測定する際に、被写体輝度を電気信号に変換させるフォトダイオードの感度を補正するための補正値である。シャッターパラメータは、シャッター１４のシャッター幕を正しい秒時で走行制御するためのバラツキを補正するための補正値である。電源パラメータは、電池２７の保有電力をユーザに表示回路２３を介して図示していない表示部に表示する際の電池電圧と表示電圧の誤差補正するための補正値である。
【００４２】
この第２エリア５２に書込記録される情報データは、カメラの組立製造中に１台毎に試験計測してバラツキ補正された値で、誤まって破壊すると修復することは簡単には出来ない。もしこの第２エリア５２の情報データが破壊されると、再度カメラ本体を組立製造工程に戻し、再度試験計測して破壊されたパラメータを設定仕直す必要がある。
【００４３】
前記カメラシステム１１の不揮発性メモリ２９に対してアクセスして情報データを書込記憶させる状況としては、（１）カメラの組立製造工程、（２）カメラの完成品を検査する工程、及び（３）カメラを市場へ出荷する工程においてである。
【００４４】
前記（１）カメラの組立製造工程は、通常、カメラは事前に複数のユニットに分解製造され、その分解製造された各ユニットを順次カメラボディに組み込んで行く、このユニットを順次組み込む際に、例えば、ある製造工程でＡＦユニットが組み込まれ、そのＡＦユニットのバラツキによるＡＦパラメータを求めて不揮発性メモリ２９に記録する。同様に他のユニットが組み込まれる毎にそのユニットに関係するパラメータが求められて不揮発性メモリ２９に記録される。
【００４５】
これら各種パラメータを求める工程において、外部制御装置４１からの指令制御の基で、各ユニットのバラツキ検出とそのバラツキから補正パラメータが求められている。このため、外部制御装置４１と不揮発性メモリ２９は、マイコン２６，通信インターフェイス回路３１，通信ライン接続手段３２，通信ケーブル４２を介する接触通信方式によりアクセスされることになり、非接触通信方式によるアクセスを用いる必要はない。
【００４６】
前記（２）カメラの完成品を検査する工程は、完成したカメラが所定の動作が可能か、及び規定の性能を有しているか検査確認を行なう工程である。また、この検査工程では不揮発性メモリ２９の第２エリア５２に必要な情報データが記録されているかも検査する。さらに、不揮発性メモリ２９の第１エリア５１に所定のデータを書き込むことも実行される。
【００４７】
この検査工程では、前記不揮発性メモリ２９と検査するための外部制御装置４１とのアクセス方式は、様々な形態が考えられる。例えば、銀塩フィルム１５の感度データを示すＤＸコードを読み取るＤＸ端子を通信ライン接続手段３２として外部制御装置４１と接続する接触通信方式、又は非接触式通信コントローラ４３と非接触式通信ユニット３３を用いる非接触通信方式が用いられる。
【００４８】
前記（３）カメラを市場へ出荷する工程は、完成されたカメラは梱包されて市場に出荷される。この様な状態で、例えば、カメラの販売市場の言語に書き換える場合には、従来は、接触通信方式での言語書換のために、カメラ梱包を解き、前記外部制御装置４１からの通信ケーブル４２を前記ＤＸ端子に取り付けていたが、カメラボディを傷付けたり、又はＤＸ端子に接続させるための冶具も必要で大変繁雑な作業であった。このため、前記非接触通信方式を用いて梱包された状態のカメラの不揮発性メモリ２９の情報データの書換を行うことで、作業の繁雑性とカメラボディを損傷させることの解消となる。
【００４９】
次に図３を用いて、外部制御装置４１によるカメラシステムの制御動作について説明する。
まず最初にオペレータは、ステップＳ１１で外部制御装置４１のキーボードやマウス等を操作して、接触通信方式又は非接触通信方式のいずれの方式で不揮発性メモリ２９にアクセスするか選択入力する。ステップＳ１２で選択入力された方式が接触通信であると判定されると、ステップＳ３２以降が実行され、非接触通信であると判定されるとステップＳ１２以降が実行される。
【００５０】
ステップＳ１２で接触通信方式が選択されたと判定されると、ステップＳ３２で接触通信が可能な状態に前記外部制御装置４１が通信ケーブル４２を介して、通信ライン接続手段３２に接続されているか判定される。このステップＳ３２の判定の結果、通信不可能状態と判定されると、ステップＳ３３で、カメラシステム１１の操作スイッチ２４に設けられている電源スイッチのオンを促す「カメラの電源をＯＮして下さい」、又は通信ケーブル４２の通信ライン接続手段３２への接続を促す「ＰＣとカメラの通信ケーブルを正しく接続して下さい」等のメッセージを外部制御装置４１に表示させる。オペレータが通信可能な状態に設定するとステップＳ３２に戻る。ステップＳ３２で通信可能と判定されると、ステップＳ３４でオペレータによりテストモードを選択入力する。次にステップＳ３５で選択入力されたテストモード内容により、ステップＳ３６〜Ｓ４０に分岐される。
【００５１】
ステップＳ３６は、初期データ設定モードの動作が実行される。この初期データ設定モードでは、カメラシステム１１に不揮発性メモリ２９が組み込まれた時、記憶されたデータの状態は定まっていない。したがって、予め定めた初期値を記録する必要があり、この初期値を記録する動作である。
【００５２】
ステップＳ３７は、ＡＦパラメータ調整モードの動作が実行される。このＡＦパラメータ調整モードの実行に先立ちカメラ本体は、所定の測距検査装置へ取り付ける。この測距検査装置は測距動作に必要なコリメータや標準チャートより構成されている。このＡＦパラメータ調整モードとは、前記測距検査装置に取り付けたカメラシステム１１の測距回路２１を測距動作実行させ、その測距結果から誤差を補正するＡＦパラメータを決定し、不揮発性メモリ２９の第２エリア５２に書込記憶させる。
【００５３】
ステップＳ３８は、ＡＥパラメータ調整モードの動作が実行される。このＡＥパラメータ調整モードの実行に先立ちカメラ本体は、基準光源を有する輝度ベンチへ取り付ける。このＡＥパラメータ調整モードとは、前記輝度ベンチに取り付けたカメラシステム１１の測光回路２２を測光動作実行させ、その測光結果から誤差を補正するＡＥパラメータを決定し、不揮発性メモリ２９の第２エリア５２に記録させる。
【００５４】
ステップＳ３９は、シャッターパラメータ調整モードの動作が実行される。このシャッターパラメータ調整モードの実行に先立ちカメラ本体は、シャッタ試験器へ取り付ける。このシャッターパラメータ調整モードとは、シャッタ試験器に取り付けたカメラシステム１１のシャッタ駆動機構１８によって、所定のシャッタスピードでシャッタ１４を駆動させ、このときの想定シャッタスピードと試験器で測定したシャッタスピードとの差から誤差を補正するシャッターパラメータを決定し、不揮発性メモリ２９の第２エリア５２に記録させる。
【００５５】
ステップＳ４０は、電源パラメータ調整モードの動作が実行される。この電源パラメータ調整モードの実行に先立ちカメラ本体は、基準電源に接続する。この電源パラメータ調整モードは、前記基準電源の電圧を変化させてカメラシステム１１を動作させて電源電圧の変化に応じた電圧値が表示されるように誤差を補正する電源パラメータを決定し、不揮発性メモリ２９に記録させる。
【００５６】
すなわち、ステップＳ３６〜Ｓ４０は、カメラの組立製造工程でカメラシステム１１に組み込まれている不揮発性メモリ２９の初期化と、測距回路２１、測光回路２２、シャッタ制御機構１８及び電源回路２８の動作誤差を補正するパラメータを設定するもので、これらデータの設定後は、変更修正ができないように不揮発性メモリ２９の第２エリア２に書込記憶すると共に、接触通信方式により外部制御装置４１の制御指令の基で行う。
【００５７】
前記ステップＳ１２で非接触通信方式が選択入力されたと判定されると、ステップＳ１３で接触通信方式による外部制御装置４１との通信が可能が判定する。接触通信方式による通信が可能と判定されると、ステップＳ１４でカメラシステム１１のマイコン２６に対して不揮発性メモリ２９へのアクセスを停止する指令を行う。このマイコン２６は不揮発性メモリ２９へのアクセス停止指令の基で非接触式通信ユニット３３の通信禁止回路４０の動作を停止させて、不揮発性メモリ２９とのアクセスを停止する。この結果、非接触式通信ユニット３３は、非接触通信コントローラ４３を介して外部制御装置４１との情報データの送受信が可能となる。一方、前記ステップＳ１３の判定の結果、接触通信が不可能と判定されると、ステップＳ１５でカメラシステム１１の電源をオフとする指示メッセージを表示回路２３に表示する。
【００５８】
このステップＳ１３〜Ｓ１５の処理は、基本的には外部制御装置４１が非接触通信と接触通信の両方式で同時に不揮発性メモリ２９にアクセスすることは無いが、しかし、２つの通信方式が正常に動作出来るか否かを検査するために不揮発性メモリ２９を通信ケーブル４２を介して接触通信方式で接続した状態で、非接触通信を行なうことは、カメラの組立製造工程では行う現象である。
【００５９】
前記ステップＳ１５のメッセージに従いオペレータがカメラの電源をオフにすると、動作中のマイコン２６が通信禁止回路４０の駆動を停止すると共に、不揮発性メモリ２９へのアクセスも停止される。
【００６０】
次にステップＳ１６で非接触式通信コントローラ４３と非接触式通信ユニット３３を介して、不揮発性メモリ２９のＢＡＮＫアドレス（図２参照の※１）を読み出す。次にステップＳ１７でオペレータがアクセスを希望する不揮発性メモリ２９のアドレスを入力する。このステップＳ１７で入力したアドレスに対して、ステップＳ１８でオペレータが不揮発性メモリ２９からのデータ読出しを選択したか、又はデータの変更書換を選択したか判定する。ステップＳ１８でデータの変更書換を選択したと判定されると、ステップＳ１９で前記ステップＳ１７で入力されたアドレスが不揮発性メモリ２９の書換可能な第１エリア５１のアドレスか判定し、第１エリア５１でなく第２エリア５２のアドレスの場合は、ステップＳ２１で書換不可能エリアのアドレスとであり再度アドレス入力を促す警告メッセージを表示させてステップＳ１７に戻る。ステップＳ１９の判定の結果、第１エリア５１のアドレスと判定されると、ステップＳ２０で前記ステップＳ１７で入力されたアドレスがＢＡＮＫアドレスを記憶しているアドレスであるか判定する。このＢＡＮＫアドレスは、図２に示すように第１エリア５１に存在するが、このＢＡＮアドレスは、第１エリア５１と第２エリア５２との境界を示す重要な情報であり、非接触通信で変更書換することは禁止されていなければならない。従って、ステップＳ２０の判定の結果、前記ステップＳ１７で入力されたアドレスがＢＡＮＫアドレスの場合は、ステップＳ２１で変更書換不可能アドレスであり再度アドレス入力を促す警告メッセージを表示する。このステップＳ２１の警告メッセージの例としては、「選択した不揮発性メモリのアドレスに対しては、データの読み出しは可能ですが、書換は禁止されています」のようなメッセージを用いる。
【００６１】
前記ステップＳ２０で変更書換するアドレスがＢＡＮＫアドレスでないと判定されると、ステップＳ２２で不揮発性メモリ２９の変更書換データをオペレータによって入力する。このステップＳ２２でオペレータが入力したアドレスの変更書換データの基で既存の記憶データを変更書換する前に、データの信頼性を評価するためにステップＳ２３以降が実行される。ステップＳ２３は、図２に示したチェックコード１のアドレスとデータを非接触通信コントローラ４３に転送して、不揮発性メモリ２９の書換を指示する。次に、ステップＳ２４では、前記ステップＳ２２でオペレータが入力したアドレスと変更書換データを非接触通信コントローラ４３へ転送し、不揮発性メモリ２９の書き換えを指示する。次に、ステップＳ２５では、図２に示したチェックコード２のアドレスとデータを非接触通信コントローラ４３へ転送して不揮発性メモリ２９の書換えを指示する。前記チェックコード１とチェックコード２に記録するデータは、２つのデータが一致していれば問題はなく、たとえば、日付情報を使用すれば、いつ不揮発性メモリ２９のデータが変更されたか記録として残る。又外部制御装置４１の中で乱数を発生させて乱数を記録してもよい。
【００６２】
次に、ステップＳ２６では、非接触通信コントローラ４３を介して、前記ステップＳ２４において不揮発性メモリ２９に記録したデータを読み出す、この読み出したデータをステップＳ２７で外部制御装置４１のモニタ上に表示する。次に、ステップＳ２８で、オペレータが入力指示したデータと前記ステップＳ２６で読み出したデータとを比較し、一致しているか判定する。一致していない場合は、前記ステップＳ２９でモニタに、例えば「正しく記録出来なかったので再度アドレスとデータを入力して下さい」との警告表示を行い、前記ステップＳ１７に戻り、一致している場合は、データの変更書換が終了する。
【００６３】
前記ステップＳ１８で不揮発性メモリ２９からのデータ読み出しと判定されると、ステップＳ３０で、オペレータが前記ステップＳ１７で入力した指定アドレスを非接触通信コントローラ４３へ転送し不揮発性メモリ２９からのデータ読み出しを指示する。非接触通信コントローラ４３は、カメラシステム１１の非接触式通信ユニット３３との間で無線による送受信を行い不揮発性メモリ２９から指定アドレスのデータを読み出し、ステップＳ３１で、前記読み出したデータを外部制御装置４１のモニタに表示する。
【００６４】
つまり、カメラシステム１１の不揮発性メモリ２９に書込記憶させる各種情報データの内、不揮発性メモリ２９のＢＡＮＫアドレスと、第２エリア５２に書込記憶させるＡＦ，ＡＥ，シャッタ及び電源等に関するパラメータとを外部制御装置４１から接触通信方式で書込記憶させ、言語モード、カメラ動作モード及び日付初期値等の情報データは、外部制御装置４１から非接触通信方式で書込、読み出し、及び変更書換を行えるようにした。
【００６５】
次に、図４を用いてカメラシステム１１のマイコン２６の動作について説明する。
カメラシステム１１の操作スイッチ２４の１つである電源スイッチがオンされるとマイコン２６は動作を開始して、ステップＳ５１で、初期設定動作が実行される。この初期設定動作は、マイコン２６の内部レジスタの初期化Ｉ／Ｏポートの初期化などが行なわれる。次にステップＳ５２で、非接触式通信ユニット３３の通信禁止回路４０を動作させて、レギュレータ３６と制御回路３９を不動作状態にして、非接触通信コントローラ４３からの不揮発性メモリ２９へのアクセスが出来ないように設定する。次にステップＳ５３で外部制御装置４１からの通信要求がないか通信インターフェース回路３１を用いてチェックする。通信要求がある場合は、ステップＳ５４で後述するサブルーチン「テスト動作」が実行される。通信要求がない場合には、ステップＳ５５で不揮発性メモリ２９の第１エリア５１から言語モード、カメラ動作モード等のデータを読み出す。この時、チェックコード１とチェックコード２も読み出し、ステップＳ５６で２つのチェックコードが一致しているか判定し、一致していれば読み出したデータは信頼性があることになる。データの信頼性がないと判定された場合は、ステップＳ５７で予め定められた言語モード、カメラ動作モード等の規定データを設定する。前記ステップＳ５６でデータの信頼性があると判定された場合、又は前記ステップＳ５７で規定データが設定されると、ステップＳ５８で操作スイッチ２４の１つであるモード変更スイッチの状態を検出する。このモード変更スイッチは、カメラの動作モードや銀塩フィルム１５へデータを記録する際に必要な言語モードを変更する時に操作されるものである。このモード変更スイッチが操作されるとステップＳ５９で動作モード変更が行われ、その変更された動作モードの情報データをステップＳ６０で不揮発性メモリ２９に書込記憶される。
【００６６】
前記ステップＳ５８で動作モード変更スイッチが操作されていないと判定された場合、又は前記ステップＳ６０の変更された動作モードデータが書込記憶された後、ステップＳ６１で前記操作スイッチ２４の１つであるレリーズスイッチの状態を検出する。レリーズスイッチがオンしていると判定されるとステップＳ６２以降が実行され、レリーズスイッチがオフと判定されるとステップＳ７３以降が実行される。
【００６７】
前記ステップＳ６１でレリーズスイッチがオンされていると判定されると、ステップＳ６２で、測距回路２１から被写体の距離に関する情報データを読み出し、ステップＳ６３で不揮発性メモリ２９から補正値であるＡＦパラメータを読み出し、ステップＳ６４で被写体距離情報データとＡＦパラメータより撮影レンズ１２の駆動量を算出し、この算出された撮影レンズ１２の駆動量を基に、ステップＳ６５で焦点調節機構１６を駆動制御して、撮影レンズ１２を最適合焦位置へ移動制御する。
【００６８】
次に、ステップＳ６６で、測光回路２１から被写体の輝度に関する情報データを読み出し、ステップＳ６７で不揮発性メモリ２９から補正値であるＡＥパラメータを読み出し、ステップＳ６８で輝度情報データとＡＥパラメータにより絞り値とシャッター秒時の露出演算を行う。このステップＳ６８の露出演算で求めた絞り値を用いてステップＳ６９で絞り制御機構１７を駆動制御して、絞り１３を演算した絞り開口に駆動制御し、次にステップＳ７０で、前記ステップＳ６８の露出演算で求めたシャッター秒時を用いてシャッタ制御機構１８が駆動制御して、シャッタ１４駆動させて、銀塩フィルム１５に被写体像を露光させる。
【００６９】
このステップＳ７０のシャッタの駆動制御が終了すると、ステップＳ７１で銀塩フィルム１５へ記録される撮影データが情報記録回路２０で作成される。この撮影データは、時計回路２５から読み出した日付情報や、言語モードに応じてユーザが設定したタイトル情報等である。次にステップＳ７２で露光された銀塩フィルム１５が１駒分フィルム給送機構１９の駆動制御の基で巻上げられる。この巻上げ動作中に前記情報記録回路２０を駆動制御して前記ステップＳ７１で作成された撮影データが銀塩フィルム１５に記録される。銀塩フィルム１５の１駒分の巻上げが終了すると前記ステップＳ５８に戻り、次の撮影動作に備える。
【００７０】
前記ステップＳ６１でレリーズスイッチがオフであると判定されると、ステップＳ７３で前記操作スイッチ２４の１つである電源スイッチの状態が検出され、電源スイッチがオフと判定されるとステップＳ７４以降が実行され、電源スイッチがオンと判定されるステップＳ７６以降が実行される。このステップＳ７３で電源スイッチがオフと判定されると、前記マイコン２６は動作を停止しなければならない、このマイコン２６の動作停止の前に、ステップＳ７４でマイコン２６で非接触式通信ユニット３３の通信禁止回路４０の動作を停止して、非接触通信による不揮発性メモリ２９へのアクセスを可能とする。つまり、カメラシステム１１が動作していない時は、非接触通信方式より、いつでも不揮発性メモリ２９にアクセス出来る状態とする。次に、ステップＳ７５で、カメラシステム１１のシステムダウン処理が実行され、マイコン２６の動作を停止させると共にシステム全体の動作が停止される。
【００７１】
前記ステップＳ７３で電源スイッチオンと判定されると、ステップＳ７６で外部制御装置４１からら通信要求があるか判定する。このステップＳ７６の動作は前記ステップＳ５３と同じである。外部制御装置４１から通信要求があれば、ステップＳ７７のサブルーチン「テスト動作」が実行され、通信要求がないと判定されると、ステップＳ５８に戻る。
【００７２】
なお、ステップＳ７６はマイコン２６が動作中は周期的に実行されている。従って通信ケーブル４２を介して外部制御装置４１がカメラシステム１１に接続されていれば、カメラの動作中はいつでも外部制御装置４１とマイコン２６は通信可能となる。
【００７３】
次に、図５を用いて前記ステップＳ５４及びＳ７７の「テスト動作」について説明する。
ステップＳ１０１で、前記ステップＳ５３又はＳ７６で外部制御装置４１からの通信要求の動作モードを通信インターフェース回路３１からマイコン２６に入力する。ステップＳ１０２でマイコン２６に入力された動作モードが不揮発性メモリ２９へのアクセスを禁止する禁止モードであるか判定する。アクセス禁止モードと判定されるとステップＳ１０３で非接触通信が出来るようにするため非接触式通信ユニット３３の通信禁止回路４０の動作を停止する。これにより、外部制御装置４１は、非接触式通信コントローラ４３と非接触式通信ユニット３３を用いて不揮発性メモリ２９にアクセス可能となる。又、不揮発性メモリ２９のアクセス禁止モードを外部制御装置４１が送信している間は、不揮発性メモリ２９に対してマイコン２６は通信しない。従って、２つの通信方式（非接触通信方式と接触通信方式）で同時に不揮発性メモリ２９にアクセスする状態は発生しない。前記ステップＳ１０２で不揮発性メモリ２９へのアクセス禁止モードでないと判定されると、ステップＳ１０４で前記通信禁止回路４０を動作させて非接触通信による不揮発性メモリ２９へのアクセスが出来ないようにする。
【００７４】
次にステップＳ１０５で動作モードが初期データ設定モードであるか判定し、初期データ設定モードならばステップＳ１０６で外部制御装置４１からマイコン２６を介して不揮発性メモリ２９へ記録する初期データを入力し、ステップＳ１０７においてその初期データを不揮発性メモリ２９に記録し、ステップＳ１０１へ戻る。
【００７５】
前記ステップＳ１０５で初期データ設定モードでないと判定されると、ステップＳ１０８で動作モードがＡＦパラメータ設定モードであるか判定され、ＡＦパラメータ設定モードであると判定されると、ステップＳ１０９で測距回路２１を駆動制御して距離測定を行わせる。このときカメラ本体は、検査装置に取りつけられて標準距離に設置された被写体の距離測定を行わせ、前記測距回路２１で測定した距離の誤差を補正するＡＦパラメータを演算算出させる。このＡＦパラメータの演算算出は、測距回路２１での測距情報を外部制御装置４１に送信して、外部制御装置４１に内蔵されている演算手段の基で実行する。前記ステップＳ１０９で算出されたＡＦパラメータは、ステップＳ１１０において不揮発性メモリ２９に記録されて、前記ステップＳ１０１へ戻る。
【００７６】
前記ステップＳ１０８でＡＦパラメータ設定モードでないと判定されると、ステップＳ１１１で動作モードがＡＥパラメータ設定モードであるか判定され、ＡＥパラメータ設定モードであると判定されると、ステップＳ１１２で基準光源を測光回路２２を駆動制御して測光を行わせる。このときカメラ本体は、基準測定用ベンチに取りつけられて基準光源の輝度測定を行わせ、前記測光回路２２で測定した輝度値と基準光源の輝度値との誤差を補正するＡＥパラメータを演算算出させる。このＡＥパラメータの演算算出は、測光回路２１での測光情報を外部制御装置４１に送信して、外部制御装置４１に内蔵されている演算手段の基で実行する。前記ステップＳ１１２で算出されたＡＥパラメータは、ステップＳ１１３において不揮発性メモリ２９に記録されて、前記ステップＳ１０１へ戻る。
【００７７】
前記ステップＳ１１１でＡＥパラメータ設定モードでないと判定されると、ステップＳ１１４で動作モードがシャッタパラメータ設定モードであるか判定され、シャッタパラメータ設定モードであると判定されると、ステップＳ１１５でシャッタ制御機構１８を駆動制御してシャッタ１４を所定の秒時で駆動させる。このときカメラ本体は、シャッタ試験器に取りつけられて前記シャッタ制御機構１８で駆動させたシャッタ秒時とシャッタ試験器で測定した秒時の誤差を補正するシャッタパラメータを演算算出させる。このシャッタパラメータの演算算出は、シャッタ制御機構１８で設定した秒時とシャッタ試験器で測定した秒時の情報を外部制御装置４１に送信して、外部制御装置４１に内蔵されている演算手段の基で実行する。前記ステップＳ１１５で算出されたシャッタパラメータは、ステップＳ１１６において不揮発性メモリ２９に記録されて、前記ステップＳ１０１へ戻る。
【００７８】
前記ステップＳ１１４でシャッタパラメータ設定モードでないと判定されると、ステップＳ１１７で動作モードが電源パラメータ設定モードであるか判定され、電源パラメータ設定モードであると判定されると、ステップＳ１１８で電源電圧の変動測定を行う。この電源電圧測定は、カメラシステム１１を電源電圧が変更可能な基準電源で動作させ、その電源電圧を可変変更させて、その可変変更電圧を図示していないバッテリチェッカーを監視して、供給された電源電圧をバッテリチェッカーが表示するか検査し、正しい電圧値をバッテリチェッカーが表示するように誤差補正する電源パラメータを演算算出させる。前記ステップＳ１１８で算出された電源パラメータは、ステップＳ１１９において不揮発性メモリ２９に記録されて、前記ステップＳ１０１へ戻る。
【００７９】
前記ステップＳ１１７で動作モードが電源パラメータ設定モードでないと判定されると、ステップＳ１２０では動作モードがテストモードの終了命令であるか判定する。終了命令と判定されると、前記ステップＳ１０１に戻り、図４に示した前記ステップＳ５４またはＳ７７以降が実行される。
【００８０】
以上説明したように、本発明のカメラシステムの動作制御用のデータを書込記憶する不揮発性メモリに対して、カメラの組立製造時に設定するカメラの動作を制御する初期値データや、測距、測光、シャッタ秒時、及び電源パラメータ等の書換不可情報データは、接触通信方式で前記不揮発性メモリにアクセスして第２エリア内に設定書込記憶し、かつ、非接触通信方式では前記不揮発性メモリにアクセス不可とすることが可能となった。また、前記カメラが組み立て完成後に変更書換可能な日付、言語、カメラ撮影動作モード等の変更書換が可能な情報データは、非接触通信方式でカメラ本体に直接外部制御装置を接続配置することなく不揮発性メモリにアクセスして、情報データの読み出しや変更書換が可能となった。
【００８１】
次に本発明に係るカメラシステムの他の実施形態の構成について図６を用いて説明する。なお、図１と同じ部分は同一符号を付して詳細説明は省略する。
【００８２】
この図６の本発明の他の実施形態と図１に示した本発明の１実施形態との相違は、図１では、単一の不揮発性メモリ２９を第１エリア５１と第２エリア５２の記録領域に分割したが、図６の他の実施形態では、第１の不揮発性メモリ２９ａと第２の不揮発性メモリ２９ｂとを個別に設けている。
【００８３】
図１で説明した本発明の１実施形態において、非接触通信でデータの読み出しと書き込みの両方が出来る領域は第１エリア５１に限定し、第２エリア５２に対しては、データの読み出しのみを許可した。
【００８４】
しかし第２エリア５２が物理的、電気回路上保護されているわけではなく、外部制御装置４１で動作するプログラムが２つのエリアの境界を示めす情報（ＢＡＮＫアドレス）に基づいて、第２エリア５２のデータの変更書換を禁止しているにすぎない。前記外部制御装置４１のプログラムを修正もしくは、改ざんすれば第２エリア５２のデータを変更書換が可能となる。このため、確実なデータ保護策を外部制御装置４１のプログラム以外の方法を考えなければならない。
【００８５】
そこで図６に示す本発明の他の実施形態では、第１エリア５１に対応する第１の不揮発性メモリ２９ａと第２エリア５２に対応する第２の不揮発性メモリ２９ｂを個別に設けた。
【００８６】
この第２の不揮発性メモリ２９ｂは、マイコン２６とのみ通信可能であり、非接触式通信コントローラ４３から非接触式通信ユニット３３を介して第２の不揮発性メモリ２９ｂにはまったくアクセス出来ないようにした。
【００８７】
一般に、前記第２エリア５２又は第２の不揮発性メモリ２９ｂに書込記録すべき初期設定、ＡＦ，ＡＥ、シャッタ及び電源等の制御パラメータに関する情報データは、第１エリア５１又は第１の不揮発性メモリ２９ａに記録すべき日付、言語、撮影モード等の情報に比べて多くなる。特にカメラシステム１１が複雑になると前記制御パラメータの数が多くなり、単一の第２の不揮発性メモリ２９ｂを設けることは最良の方法である。
【００８８】
更につぎに、図７を用いて本発明に係るカメラシステムの変形例を説明する。この図７は、図１の非接触式通信ユニット３３と不揮発性メモリ２９との部分のみを示し、同一部分は同一符号を付し、詳細説明は省略する。
【００８９】
この本発明の変形例は、前記非接触式通信ユニット３３の制御回路３９の回路構成を変更することにより不揮発性メモリ２９の特定のエリアに対して非接触通信ではアクセス出来ないようにするものである。
【００９０】
前記不揮発性メモリ２９には、図２を用いて前述したように第１エリア５１と第２エリア５２を区分するＢＡＮＫアドレスが設定される。このＢＡＮＫアドレス記憶する領域として、前記不揮発性メモリ２９にＢＡＮＫアドレス記憶メモリ２９ｘを設定し、かつ、前記マイコン２６からアクセス可能とする。図２においては、ＢＡＮＫアドレスは不揮発性メモリ２９の第１エリア５１に特定アドレスとして記憶されているために外部制御装置４１のプログラムを変更すれば書き換えることが出来る。しかし、この本発明の変形例（図７）のＢＡＮＫアドレス記憶メモリ２９ｘは、不揮発性メモリ２９に独立したアドレスとして存在させている。ＢＡＮＫアドレス記憶メモリ２９ｘは、マイコン２６からのみアクセス可能である。従って、外部制御装置４１がＢＡＮＫアドレスを変更するためには接触式通信を用いなければならない。
【００９１】
さらに、前記制御回路３９は、アドレス比較回路３９ａ、禁止回路３９ｂ及び通信コード生成回路３９ｃで構成させ、前記不揮発性メモリ２９のＢＡＮＫアドレス記憶メモリ２９ｘは、アドレス比較回路３９ａとアクセス可能とし、前記通信コード生成回路３９ｃは、通信コードを生成して、その生成した通信コードを前記アドレス比較回路３９ａに供給されるようにしている。よって、前記アドレス比較回路３９ａでは、ＢＡＮＫアドレス記憶メモリ２９ｘから読み出したアドレスと前記通信コード生成回路３９ｃから供給されたアドレスコードとを比較して、前記禁止回路３９ｂの動作を制御可能となっている。
【００９２】
つまり、ＢＡＮＫアドレス記憶メモリ２９ｘに記憶されたアドレスデータは制御回路３９に設けられたアドレス比較回路３９ａに出力される。前記非接触式通信コントローラ４３が不揮発性メモリ２９のアドレス書き込むデータを送信すると、通信コイル３４で受信され、復調回路３７で復調されて制御回路３９に入力可能な信号へ変換される。復調回路３７からの出力信号に基づいて通信コード生成回路３９ｃで不揮発性メモ２９へのアクセスに必要な通信コードを生成する。ここで、データを変更書換する場合は、ライト命令のアドレスデータと書換記録するデータを含んだ通信コードが生成される。通信コード生成回路３９ｃは、ライト命令が通信コードに含まれている場合、不揮発性メモリ２９のアドレスデータをアドレス比較回路３９ａへ出力する。そしてＢＡＮＫアドレス記憶メモリ２９ｘからのアドレスより通信コード生成回路３９ｃからのアドレスが大きい時（図２の第２エリア５２内のアドレスにアクセスしようとしている場合）アドレス比較回路３９ａは禁止回路３９ｂを制御して通信コード生成回路３９ｃが通信コードを不揮発性メモリ２９へ送信することを阻止する。
【００９３】
従って、不揮発性メモリ２９のデータは変更書換は実行されない。ＢＡＮＫアドレス記憶メモリ２９ｘからのアドレスより通信コード生成回路３９ｃからのアドレスが小さい時（図２の第１エリア５１内のアドレスをアクセスしようとしている場合）アドレス比較回路３９ａは通信コード生成回路３９ｃが不揮発性メモリ２９へアクセスすることを阻止しない。よって、不揮発性メモリ２９のデータは変更書換が可能となる。
【００９４】
不揮発性メモリ２９からデータを読み出す場合、通信コード生成回路３９ｃは、リード命令と不揮発性メモリ２９のアドレスを含んだ通信コードを作成する。しかし、アドレス比較回路３９ａへリードする不揮発性メモリ２９のアドレスを出力しない。これにより、通信コード生成回路３９ｃが、どのアドレスにアクセスしようとしても阻止されることがなく、不揮発性メモリ２９データの読み出し動作は、いずれのアドレスに対しても可能となる。
【００９５】
以上説明したように本発明の不揮発性メモリの非接触アクセス装置は、カメラの操作及び動作を制御する各種情報データを書込記憶する不揮発性メモリに対して、カメラの組立製造時に、被写体撮影の撮影画質に影響する光学系の合焦、絞り及びシャッタ秒時に関係する情報データは、接触式通信方式で外部制御装置から書込記憶させ、カメラの組立完成後に設定又は設定変更可能とする撮影モード、日付、言語等は、カメラを傷付けることなく接触式通信方式により外部制御装置から書換記憶可能となった。
【００９６】
また、本発明の非接触式通信方式では、カメラシステムに電池が装填されていない状態であっても、所定の通信範囲で容易に情報データの変更書換が行える。
【００９７】
なお、本発明の実施形態は、銀塩撮影カメラを例に用いて説明したが、電子撮像カメラにおいても、電子撮像カメラの動作や操作を制御する各種情報データを書込記憶している不揮発性メモリに対しても非接触式通信方式を用いて情報データの変更書換が可能で、本発明の非接触式通信方式による不揮発性メモリの非接触アクセス装置が採用できる。
【００９８】
さらに、銀塩撮影又は電子撮像のカメラ以外に、不揮発性メモリに機器の動作や操作を制御する各種情報データを書込記憶させている各種電子機器においても、それら電子機器の完成品の状態で不揮発性メモリに記憶されている情報データの変更書込が可能で、本発明の非接触式通信方式による不揮発性メモリの非接触アクセス装置が採用できる。
【００９９】
［付記］
以上詳述した本発明の実施形態によれば、以下の如き構成を得ることができる。
【０１００】
（１）  撮影用光学系で得た被写体像の測距、測光等の各種測定機能と、絞り、シャッタ及びフィルム給送等の各種駆動機能とを電気的駆動制御信号の基で操作制御するカメラ装置と、
前記カメラ装置の各種測定機能と駆動機能を電気的に駆動制御する各種駆動制御データを書込記憶させる不揮発性メモリ手段と、
前記不揮発性メモリに対して直接接続された通信ラインを用いて前記各種駆動制御データを書き込み及び読み出し制御する接触式通信手段と、
前記不揮発性メモリに対して無線又は電磁波を用いて前記各種駆動制御データを書き込み及び読み出し制御する非接触式通信手段と、
前記接触式通信手段及び非接触通信手段のいずれの通信手段からデータ読出しアクセスとデータ変更アクセスの両アクセスが許可される前記不揮発性メモリ手段に設けられた第１のデータ領域手段と、
前記接触式通信手段からのデータ読み出しアクセスとデータ変更アクセスの両アクセスが許可され、非接触式通信手段からのデータ読み出しアクセスのみが許可される前記不揮発性メモリ手段に設けられた第２のデータ領域手段と、
を具備したことを特徴とするカメラシステム。
【０１０１】
（２）  前記不揮発性メモリ手段の第１のデータ領域手段には、各種制御データの信頼性を検査するための情報を書込記憶することを特徴とする付記１記載のカメラシステム。
【０１０２】
（３）  前記不揮発性メモリ手段には、前記第１のデータ領域手段と第２のデータ領域手段の境界を示すアドレス情報を変更可能な状態で書込記憶することを特徴とする付記１記載のカメラシステム。
【０１０３】
（４）  前記非接触式通信手段からアクセスされた時は、前記不揮発性メモリ手段の第１のデータ領域手段と第２のデータ領域手段の境界を示すアドレス情報に基づきデータ変更アクセスを制限する通信禁止手段を具備したことを特徴とする付記１記載のカメラシステム。
【０１０４】
（５）  前記不揮発性メモリ手段は、前記接触式通信手段と非接触式通信手段とがアクセス可能で、前記制御データを書込記憶させる第１の不揮発性メモリ手段と、前記接触式通信手段のみがアクセス可能で、前記制御データを書込記憶させる第２の不揮発性メモリ手段とからなり、前記第１の不揮発性メモリ手段と第２の不揮発性メモリ手段は個別の不揮発性メモリで構成することを特徴とする付記１、２，又は４のいずれか１記載のカメラシステム。
【０１０５】
（６）  機器の各種動作機能及び操作機能をマイクロコンピュータを用いて駆動制御する電子機器と、
前記電子機器の各種動作機能と操作機能を電気的に駆動制御する各種駆動制御データを書込記憶させる不揮発性メモリ手段と、
前記不揮発性メモリに対して直接接続された通信ラインを用いて前記各種駆動制御データを書き込み及び読み出し制御する接触式通信手段と、
前記不揮発性メモリに対して無線又は電磁波を用いて前記各種駆動制御データを書込及び読み出し制御する非接触式通信手段と、
前記接触式通信手段及び非接触通信手段のいずれの通信手段からデータ読出しアクセスとデータ変更アクセスの両アクセスが許可される前記不揮発性メモリ手段に設けられた第１のデータ領域手段と、
前記接触式通信手段からのデータ読み出しとデータ変更とのアクセスが許可され、非接触式通信手段からのデータ読み出しアクセスのみが許可される前記不揮発性メモリ手段に設けられた第２のデータ領域手段と、
を具備したことを特徴とする不揮発性メモリのアクセス装置。
【０１０６】
（７）  前記不揮発性メモリ手段の第１のデータ領域手段には、各種制御データの信頼性を検査するための情報を書込記憶することを特徴とする付記６記載の不揮発性メモリのアクセス装置。
【０１０７】
（８）  前記不揮発性メモリ手段には、前記第１のデータ領域手段と第２のデータ領域手段の境界を示すアドレス情報を変更可能な状態で書込記憶することを特徴とする付記６記載の不揮発性メモリのアクセス装置。
【０１０８】
（９）  前記非接触式通信手段からアクセスされた時は、前記不揮発性メモリ手段の第１のデータ領域手段と第２のデータ領域手段の境界を示すアドレス情報に基づきデータ変更アクセスを制限する通信禁止手段を具備したことを特徴とする付記６記載の不揮発性メモリのアクセス装置。
【０１０９】
（１０）  前記不揮発性メモリ手段は、前記接触式通信手段と非接触式通信手段とがアクセス可能で、前記制御データを書込記憶させる第１の不揮発性メモリ手段と、前記接触式通信手段のみがアクセス可能で、前記制御データを書込記憶させる第２の不揮発性メモリ手段とからなり、前記第１の不揮発性メモリ手段と第２の不揮発性メモリ手段は個別の不揮発性メモリで構成することを特徴とする付記６、７又は９のいずれか１記載の不揮発性メモリのアクセス装置。
【０１１０】
【発明の効果】
本発明は、機器の組立製造時に機器の各構成ユニット毎に設定される各種補正パラメータは、接触式通信方式を用いて外部制御装置によって、機器内部の不揮発性メモリにアクセスさせて前記パラメータを書込記憶させると共に、機器完成後に変更書き換えする情報データは、前記接触式通信方式又は非接触式通信方式を用いて外部制御装置によって、変更書換可能としたことで、特に機器の完成後の各種検査や機器の販売地域に応じた機器仕様の変更を要する際に、機器を傷付けたり破損することなく情報データの変更書換が可能となる。さらに、完成機器を梱包状態でも情報データの書換が可能となる効果を有している。
【図面の簡単な説明】
【図１】本発明に係るカメラシステムの一実施形態の全体構成を示すブロック図。
【図２】本発明のカメラシステムに用いる不揮発性メモリのマップを説明する説明図。
【図３】本発明に係るカメラシステムの全体動作を説明するフローチャート。
【図４】本発明に係るカメラシステムのマイクロコンピュータの動作を説明するフローチャート。
【図５】本発明に係るカメラシステムのテスト動作を説明するフローチャート。
【図６】本発明に係るカメラシステムの他の実施形態の全体構成を示すブロック図。
【図７】本発明に係るカメラシステムの変形例の構成を示すブロック図。
【符号の説明】
１１…カメラシステム
１２…撮影レンズ
１３…絞り
１４…シャッタ
１５…銀塩フィルム
１６…焦点調節機構
１７…絞り制御機構
１８…シャッタ制御機構
１９…フィルム給送機構
２０…情報記録回路
２１…測距回路
２２…測光回路
２３…表示回路
２４…操作スイッチ
２５…時計回路
２６…マイクロコンピュータ
２７…電池
２８…電源回路
２９…不揮発性メモリ
３０…通信ライン
３１…通信インターフェイス回路
３２…通信ライン接続手段
３３…非接触式通信ユニット
３４…通信コイル
３５…整流回路
３６…レギュレータ
３７…復調回路
３８…変調回路
３９…制御回路
４０…通信禁止回路
４１…外部制御装置
４２…通信ケーブル
４３…接触通信コントローラ
４４…通信インターフェイス
４５…復調回路
４６…変調回路
４７…通信アンテナ
【図１】
0004370036.tif 000002
【図２】
0004370036.tif 000003
【図３】
0004370036.tif 000004
【図４】
0004370036.tif 000005
【図５】
0004370036.tif 000006
【図６】
0004370036.tif 000007
【図７】
0004370036.tif 000008